(57)【要約】      （修正有）【課題】結露に基づく水滴の落下を良好に防止して、印刷の品質を維持することができる輪転機を提供する。【解決手段】輪転機の印刷ユニット１００のブランケットウォッシャー１０６及びフィンガーガード１０８，水分供給部３００のダンプナー３０２，カバーであるプロテクター４００の少なくとも一つに結露防止体が設けられる。結露防止体は、液状、シート状、フィルム状のいずれかの結露防止材である。【選択図】図１
0003164565.tif 000002
【実用新案登録請求の範囲】
【請求項１】
結露が発生する部位に、結露防止体を設けたことを特徴とする印刷機。
【請求項２】
前記結露が発生する部位は、輪転機のブランケットウォッシャー，フィンガーガード，ダンプナー，プロテクターの少なくとも一つであることを特徴とする請求項１記載の印刷機。
【請求項３】
前記結露防止体は、液状，シート状，フィルム状のいずれかの結露防止材であることを特徴とする請求項１又は２に記載の印刷機。
【請求項４】
前記結露防止体として、吸水性と発散性を有する結露防止材を使用したことを特徴とする請求項１〜３のいずれか一項に記載の印刷機。
【考案の詳細な説明】
【技術分野】
【０００１】
本考案は、輪転機などの印刷機に関し、特にその結露防止に関するものである。
【背景技術】
【０００２】
輪転機においては、版面に対して湿し水を供給するなどの関係上、内部が多湿の状態となり、この湿度が高い空気が金属面によって冷やされると、結露が生じてしまう。結露が大きくなると、水滴として落下することになるが、版胴やブランケット胴などに落下すると、印刷紙に水滴が吸着する。このため、印刷面に滲みや汚れが生じ、最悪の場合、紙切れが生ずるなどの悪影響を与えてしまう。
【０００３】
このような結露による影響を低減するための従来技術としては、下記特許文献１に示すものがある。特許文献１には、被印刷物に印刷する印刷部や、印刷用のインキを供給するインキ供給部に、送風機から送風するようにした印刷機が開示されており、輪転機の外側から結露を防止する部位に送風することで、結露を防止するようになっている。
【先行技術文献】
【特許文献】
【０００４】
【特許文献１】特開２００７−１３０８４０号公報
【考案の概要】
【考案が解決しようとする課題】
【０００５】
しかしながら、近年の輪転機は、その構造が複雑化しており、上述した背景技術のような送風によっては、輪転機の深部ないし細部にまで気流が届かず、十分に結露による水滴を除去することができないという不都合がある。このため、安全スイッチを解除し、本来安全のために設けられているカバーを開放して結露防止を行いつつ、印刷を行っているのが現状である。
【０００６】
本考案は、以上のような点に着目したもので、結露に基づく水滴の落下を良好に防止して、印刷の品質を維持することができる印刷機を提供することを、その目的とする。
【課題を解決するための手段】
【０００７】
本考案は、印刷機の結露が発生する部位に、結露防止体を設けたことを特徴とする。主要な形態の一つは、前記結露が発生する部位が、輪転機のブランケットウォッシャー，フィンガーガード，ダンプナー，プロテクターの少なくとも一つであることを特徴とする。他の形態の一つは、前記結露防止体が、液状，シート状，フィルム状のいずれかの結露防止材であることを特徴とする。更に他の形態の一つは、前記結露防止体として吸水性と発散性を有する結露防止材を使用したことを特徴とする。
【考案の効果】
【０００８】
本考案によれば、輪転機のブランケットウォッシャー，フィンガーガード，ダンプナー，プロテクターなどに、液状，シート状，あるいはフィルム状の結露防止体を設けることとしたので、湿し水の噴霧や温度差などによって生ずる結露を防止することができ、結露に基づく水滴の落下を良好に防止して、印刷の品質を維持し、短時間で次の印刷作業に移ることができる。
【図面の簡単な説明】
【０００９】
【図１】図１は、本考案の１実施例にかかる輪転機の一例を示す図である。
【図２】図２は、前記実施例の主要部を拡大して示す図である。
【考案を実施するための形態】
【００１０】
以下、本考案を実施するための形態を、実施例に基づいて詳細に説明する。
【実施例１】
【００１１】
図１(A)には、本考案を適用した輪転機の主要構成が示されている。同図は、表裏の印刷のうちのいずれか一方を行う構成を示したもので、これを図の左右に対称に設けることで、紙の表裏に印刷することができる。また、それらを、ブラック，シアン，マゼンタ，イエローのインキ毎に重ねることで、カラー印刷用の輪転機が構成される。同図に示すように、輪転機主要部は、印刷ユニット１００，この印刷ユニット１００に印刷用のインキを供給するインキ供給部２００，前記印刷ユニット１００に湿し水を供給する水分供給部３００，によって構成されている。
【００１２】
これらのうち、印刷ユニット１００は、印刷用の版胴１０２と、この版胴１０２の周面に当接するブラン胴（ブランケット胴）１０４とを備えている。版胴１０２に取り付けられた刷版に付着したインキは、版胴１０２とブラン胴１０４との接触によって、その外周面に転写されるようになっている。転写されたインキは、左右のブラン胴１０４間に送られるウエブに転写されて、印刷が行われる。
【００１３】
ブラン胴１０４には、その表面を洗浄するブランケットウォッシャー１０６があり、また、安全のためのフィンガーガード１０８が設けられている。図１(B)には、正面から見た状態が示されており、ブラン胴１０４の中心回転軸１０４Ａの両端は、フレーム４０１に固定された軸受け１０４Ｂによって回転自在に支持されている。ブランケットウォッシャー１０６は、ブラン胴１０４のほぼ全長にわたって設けられている。
【００１４】
一方、上述した版胴１０２には、インキ供給部２００からインキが供給されるようになっている。詳述すると、ＤＩＰ（デジタルインキポンプ）及びインキ壷２０２に溜められているインキは、インキ元ローラ２０４，２０６を介してインキ受渡ローラ（ダイヤ目ロール）２０８に供給され、更にインキ渡ローラ２１０を介して第１インキシリンダ２１４に供給されている。ローラ２１２は、回転を安定化させるためのものである。第１インキシリンダ２１４に供給されたインキは、インキ渡ローラ２１６を介して第２インキシリンダ２１８に供給され、更にはインキ着ローラ２２０，２２２によって上述した版胴１０２に供給される。これらのローラ列により、印刷ユニット１００に対するインキの供給量を調整するとともに、インキを練って平均的に引き伸ばすといった動作も行われる。
【００１５】
次に、水分供給部３００は、水分を噴霧するダンプナー３０２から噴霧された水分が、水着ローラ３０４，湿し水ローラ３０６，水渡しローラ３０８を介して、版胴１０２の表面に湿し水として供給されるようになっている。
【００１６】
以上の各部は、いずれも公知であり、プロテクター４００によって覆われている。なお、図１に示した構成は一例であり、各種の異なる構成の輪転機が知られている。
【００１７】
ところで、上述した各部のうち、ブラン胴１０４，ブランケットウォッシャー１０６，フィンガーガード１０８などは、運転中、輪転機内外の温度差が生じやすく、表面に結露が生ずるようになる。ダンプナー３０２は、噴霧した水が水滴として表面に付着し、結露となる。プロテクター４００は、輪転機の内側と外側で温度差があると、結露することになる。
【００１８】
そこで、本実施例では、図２に示すように、結露防止体を上述した各部に設けることとしている。図２(A)は、上述した印刷ユニット１００の部分を拡大表示したもので、ブランケットウォッシャー１０６及びフィンガーガード１０８の表面に結露防止体１０が設けられている。図２(B)は、上述したダンプナー３０２の部分を拡大表示したもので、ダンプナー３０２の表面に結露防止体１０が設けられている。図２(C)は、上述したプロテクター４００の内側に結露防止体１０を設けた様子が示されている。
【００１９】
結露防止体１０としては、
ａ，特開２００９−１７３４９０「プロトイモゴライトとリン酸の複合化物からなる非晶質物質並びにそれを用いたデシカント空調用吸着剤及び結露防止剤」
ｂ，特開２００９−１４４３７６「結露防止シート」
ｃ，特開２００５−２７１３４０「結露防止フィルム」
ｄ，特開２００４−１４３１８８「結露防止剤」
のように、塗布形成するもの，接着するものなど、各種のものが知られており、いずれを適用してもよい。これらにより、ブランケットウォッシャー１０６などの結露が防止されるようになる。なお、輪転機まわりの水分は、温度差によって発生する結露の他に、スプレーによる霧状の水滴（湿し水）が結露を促進させている。そのため、単純な結露防止剤ではなく、吸水性及び発散性を有するものがより効果的である。
【００２０】
なお、本考案は、上述した実施例に限定されるものではなく、本考案の要旨を逸脱しない範囲内において種々変更を加えることができる。例えば、以下のものも含まれる。
(1)結露には、気温の変化などによって生ずるもののみならず、湿し水によって生ずるものなども含まれる。
(2)前記実施例では、ブランケットウォッシャー１０６などの表面全体に結露防止体を設けたが、結露が発生する部分に限定的に設けるようにしてもよい。また、部位によって、使用する結露防止体を変更するようにしてもよい。
(3)本考案と、上述した背景技術の送風による結露防止法とを併用するようにしてもよい。
(4)本考案は、印刷機一般に適用可能であるが、輪転機のように湿し水を使用するような場合に、特に好適である。
【産業上の利用可能性】
【００２１】
本考案によれば、結露防止体によって湿し水などによる結露が防止されるので、例えば輪転機などに好適である。特に、送風による結露防止が困難な複雑な構造の輪転機に対して有効である。
【符号の説明】
【００２２】
１０：結露防止体
１００：印刷ユニット
１０２：版胴
１０４：ブラン胴
１０４Ａ：中心回転軸
１０４Ｂ：軸受け
１０６：ブランケットウォッシャー
１０８：フィンガーガード
２００：インキ供給部
２０２：ＤＩＰ及びインキ壷
２０４，２０６：インキ元ローラ
２０８：インキ受渡ローラ（ダイヤ目ロール）
２１０：インキ渡ローラ
２１２：ローラ
２１４：インキシリンダ
２１６：インキ渡ローラ
２１８：インキシリンダ
２２０，２２２：インキ着ローラ
３００：水分供給部
３０２：ダンプナー
３０４：水着ローラ
３０６：湿し水ローラ
３０８：水渡しローラ３０８
４００：プロテクター
４０１：フレーム
【図１】
0003164565.tif 000003
【図２】
0003164565.tif 000004
【手続補正書】
【提出日】平成22年10月5日(2010.10.5)
【手続補正２】
【補正対象書類名】明細書
【補正対象項目名】０００６
【補正方法】変更
【補正の内容】
【０００６】
本考案は、以上のような点に着目したもので、結露に基づく水滴の落下を良好に防止して、印刷の品質を維持することができる輪転機を提供することを、その目的とする。
【手続補正３】
【補正対象書類名】明細書
【補正対象項目名】０００７
【補正方法】変更
【補正の内容】
【０００７】
本考案は、輪転機のブランケットウォッシャー，フィンガーガード，ダンプナー，プロテクターの少なくとも一つに結露防止体を設けたことを特徴とする。主要な形態の一つは、前記結露防止体が、液状，シート状，フィルム状のいずれかの結露防止材であることを特徴とする。他の形態の一つは、前記結露防止体として、吸水性と発散性を有する結露防止材を使用したことを特徴とする。
【手続補正４】
【補正対象書類名】実用新案登録請求の範囲
【補正対象項目名】全文
【補正方法】変更
【補正の内容】
【実用新案登録請求の範囲】
【請求項１】
ブランケットウォッシャー，フィンガーガード，ダンプナー，プロテクターの少なくとも一つに結露防止体を設けたことを特徴とする輪転機。
【請求項２】
前記結露防止体は、液状，シート状，フィルム状のいずれかの結露防止材であることを特徴とする請求項１に記載の輪転機。
【請求項３】
前記結露防止体として、吸水性と発散性を有する結露防止材を使用したことを特徴とする請求項１又は２に記載の輪転機。